(57)【要約】      （修正有）【課題】寝返りをしやすく、床擦れを予防できる寝具類を提供する。【解決手段】本体部２の上面に、本体部の長さ方向の摩擦抵抗よりも幅方向の摩擦抵抗を小さくした滑り部３を設けた。滑り部は、本体部の長さ方向の上縁部及び下縁部からそれぞれ間隔を開けて設け、下縁部からの間隔を上縁部からの間隔よりも大きくしてもよいし、本体部の幅方向の左縁部及び右縁部からそれぞれ間隔を開けて設けてもよい。本体部の上面における左縁部、右縁部、及び下縁部には、上掛け部を本体部の上縁部から間隔を開けて着脱自在に取り付けてもよい。本体部の下面における左縁部及び右縁部には、それぞれ少なくとも１つの固定用被挟持部６を取り付けてもよい。本体部の下面における上縁部及び下縁部の少なくともいずれかに、少なくとも１つの固定用被挟持部を取り付けてもよい。【選択図】図１
0003210716.tif 000002
【実用新案登録請求の範囲】
【請求項１】
本体部の上面に、前記本体部の長さ方向の摩擦抵抗よりも幅方向の摩擦抵抗を小さくした滑り部を設けたことを特徴とする寝具類。
【請求項２】
前記滑り部を、前記本体部の長さ方向の上縁部及び下縁部からそれぞれ間隔を開けて設け、
前記滑り部における前記本体部の下縁部からの間隔を、前記本体部の上縁部からの間隔よりも大きくした請求項１に記載の寝具類。
【請求項３】
前記滑り部を、前記本体部の幅方向の左縁部及び右縁部からそれぞれ間隔を開けて設けた請求項１又は２に記載の寝具類。
【請求項４】
前記本体部の上面における左縁部、右縁部、及び下縁部に、上掛け部を前記本体部の上縁部から間隔を開けて着脱自在に取り付けた請求項１から３のいずれかに記載の寝具類。
【請求項５】
前記本体部の下面における左縁部及び右縁部に、それぞれ少なくとも１つの固定用被挟持部を取り付けた請求項１から４のいずれかに記載の寝具類。
【請求項６】
前記本体部の下面における上縁部及び下縁部の少なくともいずれかに、少なくとも１つの固定用被挟持部を取り付けた請求項５に記載の寝具類。
【請求項７】
前記固定用被挟持部の下面に、複数の滑り止め部を互いに間隔を開けて設けた請求項５又は６に記載の寝具類。
【請求項８】
前記本体部の下面における４つの隅部に、それぞれ固定用ゴムバンドを斜め方向に設けた請求項１から７のいずれかに記載の寝具類。
【考案の詳細な説明】
【技術分野】
【０００１】
本考案は、敷きパッド、シーツ、ボックスシーツ（ボックス型シーツ）、敷き布団カバー、枕カバー、敷き布団、マットレス、ベッドパッド、枕等の寝具類に関するものである。
【背景技術】
【０００２】
従来のこの種の寝具類としては、敷き布団やマットレス等の上に敷いて使用される敷きパッド（例えば、非特許文献１参照。）等が知られている。
【先行技術文献】
【非特許文献】
【０００３】
【非特許文献１】“敷きパッド  ニトリ公式通販  家具・インテリア・生活雑貨通販のニトリネット”、［online］、［２０１７年２月１０日検索］、インターネット＜URL  http://www.nitori-net.jp/store/ja/ec/%E6%95%B7%E3%81%8D%E3%83%91%E3%83%83%E3%83%89?ptr=list＞
【考案の開示】
【考案が解決しようとする課題】
【０００４】
しかし、身体を動かしにくい妊婦、肥満体の人、寝たきりの高齢者・入院患者等については、上記のような従来の寝具類では寝返り（体位変換）をしにくいので、身体に床擦れが生じることが多いという問題点がある。
【０００５】
本考案は、以上のような事情や問題点に鑑みてなされたものであり、寝返りをしやすく、床擦れを予防できる寝具類を提供することを目的とする。
【課題を解決するための手段】
【０００６】
上記目的を達成するための第１の考案は、本体部の上面に、前記本体部の長さ方向の摩擦抵抗よりも幅方向の摩擦抵抗を小さくした滑り部を設けたものである。
【０００７】
第２の考案は、前記滑り部を、前記本体部の長さ方向の上縁部及び下縁部からそれぞれ間隔を開けて設け、前記滑り部における前記本体部の下縁部からの間隔を、前記本体部の上縁部からの間隔よりも大きくしたものである。
【０００８】
第３の考案は、前記滑り部を、前記本体部の幅方向の左縁部及び右縁部からそれぞれ間隔を開けて設けたものである。
【０００９】
第４の考案は、前記本体部の上面における左縁部、右縁部、及び下縁部に、上掛け部を前記本体部の上縁部から間隔を開けて着脱自在に取り付けたものである。
【００１０】
第５の考案は、前記本体部の下面における左縁部及び右縁部に、それぞれ少なくとも１つの固定用被挟持部を取り付けたものである。
【００１１】
第６の考案は、前記本体部の下面における上縁部及び下縁部の少なくともいずれかに、少なくとも１つの固定用被挟持部を取り付けたものである。
【００１２】
第７の考案は、前記固定用被挟持部の下面に、複数の滑り止め部を互いに間隔を開けて設けたものである。
【００１３】
第８の考案は、前記本体部の下面における４つの隅部に、それぞれ固定用ゴムバンドを斜め方向に設けたものである。
【考案の効果】
【００１４】
第１の考案によれば、使用者が寝返り（体位変換）をしやすく、床擦れを予防することができる。
【００１５】
第２の考案によれば、使用者の主に胴体部及び臀部が滑り部に接しやすくなり、使用者の主に脚部が滑り部以外の部分に接しやすくなるので、使用者がより簡単に寝返り（体位変換）を行うことができる。
【００１６】
第３の考案によれば、使用者が滑り部より外側方へ寝返り（体位変換）しにくくなる。
【００１７】
第４の考案によれば、使用者が本体部と上掛け部の間に入って寝ることができると共に、上掛け部を取り外して本体部と上掛け部を別々に洗濯することもできる。
【００１８】
第５の考案によれば、寝具類がずれるのを防止することができる。
【００１９】
第６の考案によれば、寝具類がずれるのをより確実に防止することができる。
【００２０】
第７の考案によれば、寝具類がずれるのをより確実に防止することができる。
【００２１】
第８の考案によれば、寝具類がずれるのを防止することができる。
【図面の簡単な説明】
【００２２】
【図１】第１実施形態における敷きパッドの正面図である。
【図２】敷きパッドの背面図である。
【図３】固定用ゴムバンドを省略した敷きパッドの使用状態説明図である。
【図４】第２実施形態における敷きパッドの正面図である。
【図５】敷きパッドの背面図である。
【図６】固定用ゴムバンドを省略した敷きパッドの使用状態説明図である。
【考案を実施するための形態】
【００２３】
以下、本考案の実施形態について、図面に基づいて説明する。
第１実施形態における敷きパッド（寝具類）１は、図１〜図３に示すように、本体部２の上面に滑り部３を設けたものである。
【００２４】
寝具類としては、敷きパッドの他、シーツ、ボックスシーツ（ボックス型シーツ）、敷き布団カバー、枕カバー、敷き布団、マットレス、ベッドパッド、枕等が挙げられる。
【００２５】
本体部２は、例えば、キルティング（キルト）で構成されており、長方形状に形成されている。本体部２の材質、形状、サイズは特に限定されるものではなく、必要に応じて適宜変更可能である。本体部２には、フランネル生地やボア生地等を使用してもよいし、抗菌性、防臭性、吸水性、発熱性、吸水速乾性、及び冷感性等の少なくともいずれかを有する生地や中綿等を使用してもよい。
【００２６】
滑り部３では、本体部２の長さ方向の摩擦抵抗よりも幅方向の摩擦抵抗が小さくなっている。滑り部３を構成する生地としては、本体部２の長さ方向の摩擦抵抗よりも幅方向の摩擦抵抗が小さくなるように糸の番手や打ち込み本数を長さ方向と幅方向で適宜に変えた生地や、本体部２の長さ方向の摩擦抵抗よりも幅方向の摩擦抵抗が小さくなるように後加工した生地等が挙げられる。
【００２７】
滑り部３は、本体部２の長さ方向の上縁部及び下縁部からそれぞれ間隔を開けて設けられており、滑り部３における本体部２の下縁部からの間隔が、本体部２の上縁部からの間隔よりも大きくなっている。また、滑り部３は、本体部２の幅方向の左縁部及び右縁部からも、それぞれ間隔を開けて設けられている。
【００２８】
本体部２の下面における４つの隅部には、それぞれ固定用ゴムバンド４が斜め方向に設けられている。固定用ゴムバンド４は、敷き布団５やマットレス（図示せず）等の隅部にそれぞれ引っ掛けられる。このように、本体部２の下面に固定用ゴムバンド４を設けておけば、敷きパッド１がずれるのを防止できるという利点がある。
【００２９】
本体部２の下面における左縁部及び右縁部には、それぞれ固定用被挟持部６が取り付けられている。固定用被挟持部６は、適宜の生地で構成されて長方形状に形成されており、敷き布団５やマットレス（図示せず）等の下に挟み込まれる。このように、本体部２の下面における左縁部及び右縁部にそれぞれ固定用被挟持部６を設けておけば、敷きパッド１がずれるのを防止できるという利点がある。固定用被挟持部６の数、形状、材質、サイズは特に限定されるものではなく、本体部２の下面における左縁部及び右縁部にそれぞれ複数の固定用被挟持部６を取り付けてもよい。また、本体部２の下面における左縁部及び右縁部に加えて、本体部２の下面における上縁部及び下縁部の少なくともいずれかに少なくとも１つの固定用被挟持部６を取り付けておけば、敷きパッド１がずれるのをより確実に防止できるという利点がある。固定用被挟持部６の下面には、複数の滑り止め部を互いに間隔を開けて設けてもよい。
【００３０】
上記のように構成された敷きパッド１の使用に際しては、敷きパッド１を敷き布団５やマットレス（図示せず）等の上に敷き、固定用ゴムバンド４を敷き布団５やマットレス（図示せず）等の隅部にそれぞれ引っ掛けると共に、固定用被挟持部６を敷き布団５やマットレス（図示せず）等の下にそれぞれ挟み込めばよい。
【００３１】
このように、敷きパッド１によれば、本体部２の上面に上記のような滑り部３が設けられているので、使用者が寝返り（体位変換）をしやすく、床擦れを予防できるという利点がある。また、本実施形態のように、滑り部３を、本体部２の上縁部及び下縁部からそれぞれ間隔を開けて設け、滑り部３における本体部２の下縁部からの間隔を、本体部２の上縁部からの間隔よりも大きくしておけば、使用者の主に胴体部及び臀部が滑り部３に接しやすくなり、使用者の主に脚部が滑り部３以外の部分に接しやすくなるので、使用者がより簡単に寝返り（体位変換）を行えるという利点がある。更に、滑り部３を、本体部２の左縁部及び右縁部からそれぞれ間隔を開けて設けておけば、使用者が滑り部３より外側方へ寝返り（体位変換）しにくくなるという利点がある。
【００３２】
第２実施形態における敷きパッド（寝具類）１１は、図４〜図６に示すように、第１実施形態において、滑り部３を本体部２の幅方向の全体に渡って設け、本体部２の上面における左縁部、右縁部、及び下縁部に、上掛け部１２を本体部２の上縁部から間隔を開けて着脱自在に取り付けたものである。
【００３３】
上掛け部１２は、例えば、本体部２の下縁部の右端近傍から左縁部の上方へスライダー（図示せず）を移動させることにより閉鎖可能なＬ字状のファスナー１３、及び、本体部２の右縁部の下端近傍から上方へスライダー（図示せず）を移動させることにより閉鎖可能なＩ字状のファスナー１４を介して、本体部２上に着脱自在に取り付けられている。スライダー（図示せず）は、特に限定されるものではないが、上掛け部１２の内側と外側の両側から移動操作可能なものが好適である。本体部２への上掛け部１２の取り付け方や取り付け手段は、特に限定されるものではなく、従来公知の各種の技術を採用することができる。上掛け部１２の材質、形状、サイズも、特に限定されるものではなく、必要に応じて適宜変更可能である。上掛け部１２にも、フランネル生地やボア生地等を使用してもよいし、抗菌性、防臭性、吸水性、発熱性、吸水速乾性、及び冷感性等の少なくともいずれかを有する生地や中綿等を使用してもよい。
【００３４】
ここで、本実施形態のように、固定用被挟持部６の下面に、複数の滑り止め部１５を互いに間隔を開けて設けておけば、敷きパッド１１がずれるのをより確実に防止できるという利点がある。
【００３５】
このように、敷きパッド１１によっても、本体部２の上面に滑り部３が設けられているので、使用者が寝返り（体位変換）をしやすく、床擦れを予防できるという利点がある。また、敷きパッド１１では、本体部２上に上掛け部１２が着脱自在に取り付けられているので、使用者が本体部２と上掛け部１２の間に入って寝ることができると共に、上掛け部１２を取り外して本体部２と上掛け部１２を別々に洗濯することもできるという利点がある。
【産業上の利用可能性】
【００３６】
以上のように、本考案の寝具類は、寝返り（体位変換）をしやすくして床擦れを予防するための手段として有用である。
【符号の説明】
【００３７】
１、１１  敷きパッド（寝具類）
２  本体部
３  滑り部
４  固定用ゴムバンド
６  固定用被挟持部
１２  上掛け部
１５  滑り止め部
【図１】
0003210716.tif 000003
【図２】
0003210716.tif 000004
【図３】
0003210716.tif 000005
【図４】
0003210716.tif 000006
【図５】
0003210716.tif 000007
【図６】
0003210716.tif 000008